(57)【要約】      （修正有）【課題】電源が不要で、薄型の履物反転装置を提供する。【解決手段】作動部材４が下降する際は回転板は回転せず、作動部材が上昇する際は回転板が１８０度回転する回転機構５を設ける。前記回転機構５は、前記作動部材４の昇降に伴い進退するアーム部材５７と、該アーム部材に形成されたラック歯５８と噛合い可能に配置されたピニオン３７の回転が伝達可能とされ、一体回転可能かつ昇降可能に同軸上に配置される前記回転板をバネにより上方へ付勢する回転部材３３と、を有する。前記作動部材の下降によりアーム部材５７が前進する際は、アーム部材に形成されたラック歯５８はピニオン３７に噛合わず、作動部材の上昇によりアーム部材５７が後退する際は、アーム部材のラック歯が所定のタイミングでピニオン３７に噛合うとともに、該アーム部材の作動に連動する負荷機構７によりアーム部材５７の後退速度が前進速度に比べ遅くなるよう構成される。【選択図】図４
0003145954.tif 000002
【実用新案登録請求の範囲】
【請求項１】
回転板（１）上の履物の向きを１８０度反対方向に反転させてなる履物反転装置であって、回転板（１）に懸かる荷重により回転板（１）とともに該回転板（１）を支持する作動部材（４）が下降する際は回転板（１）は回転せず、回転板（１）に懸かる荷重が除かれ作動部材（４）及び回転板（１）が上昇する際は回転板（１）が１８０度回転する回転機構（５）を設けてなる履物反転装置において、
前記回転機構(５)は、ラック歯（５８）が形成され前記作動部材（４）の昇降に伴い進退するアーム部材（５７）と、該アーム部材（５７）に形成されたラック歯（５８）と噛合い可能に配置されたピニオン（３７）の回転が伝達可能とされ、一体回転可能かつ昇降可能に同軸上に配置される前記回転板（１）をバネ（３５）により上方へ付勢する回転部材(３３)と、を有しており、
前記作動部材（４）の下降によりアーム部材（５７）が前進する際は、アーム部材（５７）に形成されたラック歯（５８）はピニオン（３７）に噛合わず、作動部材（４）の上昇によりアーム部材（５７）が後退する際は、アーム部材（５７）のラック歯（５８）が所定のタイミングでピニオン（３７）に噛合うとともに、該アーム部材（５７）の作動に連動する負荷機構（７）により該アーム部材（５７）の後退速度が前進速度に比べ遅くなるよう構成されることを特徴とする履物反転装置。
【請求項２】
回転板（１）上の履物の向きを１８０度反対方向に反転させてなる履物反転装置であって、回転板（１）に懸かる荷重により回転板（１）とともに該回転板（１）を支持する作動部材（４）が下降する際は回転板（１）は回転せず、回転板（１）に懸かる荷重が除かれ作動部材（４）及び回転板（１）が上昇する際に回転板（１）が１８０度回転する回転機構（５）を設けてなる履物反転装置において、
前記回転機構(５)は、一端が基台（３）に固定され、該基台（３）に対し回転可能に取り付けられる複数のローラ（５１）上に張設される長尺の薄板状部材（５２）と、基台（３）に対し回動可能に設けられ前記薄板状部材（５２）の他端が枢着されるレバー部材（５４）と、該レバー部材(５４)の先端に揺動可能に設けられラック歯（５８）が形成されたアーム部材（５７）と、該アーム部材（５７）に形成されたラック歯（５８）と噛合い可能に配置されたピニオン（３７）と、該ピニオン（３７）の回転が伝達可能とされるとともに一体回転可能かつ昇降可能に同軸上に配置される前記回転板（１）をバネ(３５)により上方へ付勢する回転部材(３３)と、を有しており、
前記作動部材（４）は、前記長尺の薄板状部材（５２）の上に回転板（１）を支持する状態で配置されるものであり、該作動部材（４）の下降により薄板状部材（５２）が前記複数のローラ（５１）間に引き込まれることで前記レバー部材（５４）を回動させるものであって、前記回転板（１）ととともに作動部材（４）が下降する際は、前記アーム部材（５７）はラック歯（５８）がピニオン（３７）に噛合わない状態で前進し、前記作動部材（４）及び回転板（１）が上昇する際は、前記アーム部材（５７）はラック歯（５８）が所定のタイミングでピニオン（３７）に噛合いながら後退するとともに、アーム部材（５７）の作動に連動する負荷機構（７）によりアーム部材（５７）の後退速度が前進速度に比べ遅くなるよう構成されることを特徴とする履物反転装置。
【請求項３】
前記負荷機構（７）は、前記レバー部材（５４）に枢着され、基台（３）に設けられたガイド（８３）に沿ってスライドするスライド部材（７１）と、前記アーム部材（５７）の作動に連動し、前記スライド部材（７１）に接触して負荷を与える負荷部材（８１）と、から構成され、前記作動部材（４）の上昇によりアーム部材（５７）が後退する際に、前記負荷部材（８１）をスライド部材（７１）に接触させる構成とすることでアーム部材（５７）の後退速度を前進速度に比べ遅くすることを特徴とする請求項２記載の履物反転装置。
【請求項４】
前記基台（３）には支持部（３１）が形成され、回転板（１）は、前記支持部(３１)に載置固定される中間板（２）に取り付けられる二つのアーチ状の板バネ（２４）及び該中間板（２）に設けられる開口（２１）から突出する前記作動部材（４）により三点で支持されることを特徴とする請求項２又は３記載の履物反転装置。
【請求項５】
前記回転板（１）には、回転中心に対し１８０度対称な位置に二つの磁性体（１３）が取り付けられるとともに、前記基台（３）には、前記中間板（２）に設けられる開口（２３）から突出し前記磁性体(１３)に磁着する磁石（９３）が上方へ付勢する状態で設けられ、回転板（１）及び作動部材（４）が下降する際は、前記レバー部材(５４)に連動して前進するロック部材（９１）により中間板（２）の下方に降下する磁石(９３)を拘束し、回転板（１）及び作動部材（４）が上昇する際は、所定のタイミングで前記ロック部材(９１)による磁石(９３)の拘束を解除して前記回転板（１）を１８０度回転した位置に磁着固定することを特徴とする請求項４記載の履物反転装置。
【考案の詳細な説明】
【技術分野】
【０００１】
本考案は、一般家庭、ホテル、病院等の玄関やトイレ、ベッドの横、洗濯物干場等で用いられる履物反転装置に関する。
【背景技術】
【０００２】
一般に、玄関やトイレ等において靴やスリッパ等を脱いだ場合、脱いだ靴やスリッパ等の向きを反転させ揃えることは社会常識とされている。
しかしながら、現代社会においては、社会常識が薄れそのようなちょっとしたことができないのが現実である。また、社会常識を心得てはいても、作業上、衛生上あるいは身体上の問題から靴やスリッパ等を放置せざるを得ない場合もある。
そこで、従来から、靴やスリッパ等の向きを自動的に反転させる装置が考案されている（特許文献１，２参照。）。
【特許文献１】特開２００５−２２４２９６号公報
【特許文献２】特開２０００−１７５７９８号公報
【考案の開示】
【考案が解決しようとする課題】
【０００３】
ところが、上記従来の装置は、電源が必要であったり（特許文献１参照。）、薄型にできない（特許文献２参照。）等の問題があり、実用的ではなかった。
【０００４】
そこで、本考案は、上記従来の問題を解決し、実用に供することができる履物反転装置を提供することを目的とする。
【課題を解決するための手段】
【０００５】
前記目的を達成するため、請求項１に係る考案は、回転板１上の履物の向きを１８０度反対方向に反転させてなる履物反転装置であって、回転板１に懸かる荷重により回転板１とともに該回転板１を支持する作動部材４が下降する際は回転板１は回転せず、回転板１に懸かる荷重が除かれ作動部材４及び回転板１が上昇する際は回転板１が１８０度回転する回転機構５を設けてなる履物反転装置において、前記回転機構５は、ラック歯５８が形成され前記作動部材４の昇降に伴い進退するアーム部材５７と、該アーム部材５７に形成されたラック歯５８と噛合い可能に配置されたピニオン３７の回転が伝達可能とされ、一体回転可能かつ昇降可能に同軸上に配置される前記回転板１をバネ３５により上方へ付勢する回転部材３３と、を有しており、前記作動部材４の下降によりアーム部材５７が前進する際は、アーム部材５７に形成されたラック歯５８はピニオン３７に噛合わず、作動部材４の上昇によりアーム部材５７が後退する際は、アーム部材５７のラック歯５８が所定のタイミングでピニオン３７に噛合うとともに、該アーム部材５７の作動に連動する負荷機構７により該アーム部材５７の後退速度が前進速度に比べ遅くなるよう構成されることを特徴とするものである。
【０００６】
また、請求項２に係る考案は、回転板１上の履物の向きを１８０度反対方向に反転させてなる履物反転装置であって、回転板１に懸かる荷重により回転板１とともに該回転板１を支持する作動部材４が下降する際は回転板１は回転せず、回転板１に懸かる荷重が除かれ作動部材４及び回転板１が上昇する際に回転板１が１８０度回転する回転機構５を設けてなる履物反転装置において、前記回転機構５は、一端が基台３に固定され、該基台３に対し回転可能に取り付けられる複数のローラ５１上に張設される長尺の薄板状部材５２と、基台３に対し回動可能に設けられ前記薄板状部材５２の他端が枢着されるレバー部材５４と、該レバー部材５４の先端に揺動可能に設けられラック歯５８が形成されたアーム部材５７と、該アーム部材５７に形成されたラック歯５８と噛合い可能に配置されたピニオン３７と、該ピニオン３７の回転が伝達可能とされるとともに一体回転可能かつ昇降可能に同軸上に配置される前記回転板１をバネ３５により上方へ付勢する回転部材３３と、を有しており、前記作動部材４は、前記長尺の薄板状部材５２の上に回転板１を支持する状態で配置されるものであり、該作動部材４の下降により薄板状部材５２が前記複数のローラ５１間に引き込まれることで前記レバー部材５４を回動させるものであって、前記回転板１ととともに作動部材４が下降する際は、前記アーム部材５７はラック歯５８がピニオン３７に噛合わない状態で前進し、前記作動部材４及び回転板１が上昇する際は、前記アーム部材５７はラック歯５８が所定のタイミングでピニオン３７に噛合いながら後退するとともに、アーム部材５７の作動に連動する負荷機構７によりアーム部材５７の後退速度が前進速度に比べ遅くなるよう構成されることを特徴とするものである。
【０００７】
請求項３に係る考案は、請求項２に係る考案において、前記負荷機構７は、前記レバー部材５４に枢着され、基台３に設けられたガイド８３に沿ってスライドするスライド部材７１と、前記アーム部材５７の作動に連動し、前記スライド部材７１に接触して負荷を与える負荷部材８１と、から構成され、前記作動部材４の上昇によりアーム部材５７が後退する際に、前記負荷部材８１をスライド部材７１へ接触させる構成とすることでアーム部材５７の後退速度を前進速度に比べ遅くすることを特徴とするものである。
【０００８】
請求項４に係る考案は、請求項２又は３に係る考案において、前記基台３には支持部３１が形成され、回転板１は、前記支持部３１に載置固定される中間板２に取り付けられる二つのアーチ状の板バネ２４及び該中間板２に設けられる開口２１から突出する前記作動部材４により三点で支持されることを特徴とするものである。
【０００９】
請求項５に係る考案は、請求項４に係る考案において、前記回転板１には、回転中心に対し１８０度対称な位置に二つの磁性体１３が取り付けられるとともに、前記基台３には、前記中間板２に設けられる開口２３から突出し前記磁性体１３に磁着する磁石９３が上方へ付勢する状態で設けられ、回転板１及び作動部材４が下降する際は、前記レバー部材５４に連動して作動するロック部材９１により中間板２の下方に降下する磁石９３を拘束し、回転板１及び作動部材４が上昇する際は、所定のタイミングで前記ロック部材９１による磁石９３の拘束を解除して前記回転板１を１８０度回転した位置に磁着固定することを特徴とするものである。
【考案の効果】
【００１０】
請求項１及び２に係る考案の履物反転装置によれば、履物を履いた人が回転板１に乗った際は、単にアーム部材５７が前進するのみで当該回転板１は回転しない。一方、人が履物を脱いで回転板１から降りた後は、アーム部材５７に形成されたラック歯５８がピニオン３７と噛合いながら後退し、該ピニオン３７の回転が回転部材３３に伝達される結果、該回転部材３３に一体回転可能に配置される前記回転板１が１８０度回転する。また、このとき、後退するアーム部材５７は負荷機構７の作用により前進時に比べ速度が遅くなるよう構成されているので、前記回転板１はゆっくり回転することとなり、回転板１上の履物が遠心力で飛ばされバラバラになることがない。
【００１１】
請求項１及び２に係る考案の履物反転装置は、人の体重のみを利用するもので電源を必要としない。また、回転機構５がすべて同一平面内で作動するよう構成されるとともに回転板１の昇降高さも低く抑えることができるので、装置全体を極めて薄くできる。
したがって、請求項１及び２に係る考案の履物反転装置は、簡易に持ち運べ利用勝手が非常に優れるとともに回転板１の上にも抵抗感なく乗ることができるものであり実用性に優れるものである。また、床等に埋め込み固定して利用する際も、薄型のため施工が簡単であり実用性の非常に高いものである。
【００１２】
請求項２に係る考案の履物反転装置は、回転機構５に、一端が基台３に固定され、該基台３に対し回転可能に取り付けられる複数のローラ５１上に張設される長尺の薄板状部材５２と、基台３に対し回動可能に設けられ前記薄板状部材５２の他端が枢着されるレバー部材５４が設けられ、作動部材４が、前記長尺の薄板状部材５２の上に回転板１を支持する状態で配置されるものであり、該作動部材４の下降により前記長尺の薄板状部材５２が前記複数のローラ５１間に引き込まれることで前記レバー部材５４を回動させ、該レバー部材５４の先端に揺動可能に設けられるアーム部材５７を前進させるものであるので、作動部材４の昇降高さを低く抑えることができるとともに作動部材４の作動方向に垂直な面内で回転機構５を作動させることができ、装置全体を極めて薄く構成することができる。
【００１３】
請求項３に係る考案の履物反転装置は、該負荷機構７を回転機構５と同一の面内に配置することができ、装置の高さを低く抑えることができる。また、回転機構５と負荷機構７が機械的に連動するものであるため、該負荷機構を作動させるタイミング設定も容易であり、該負荷機構を作動させるための新たな駆動源も必要としない。
【００１４】
請求項４に係る考案の履物反転装置は、回転板１が、基台３に形成される支持部３１に対し載置固定される中間板２に取り付けられる二つのアーチ状の板バネ２４、及び該中間板２に設けられる開口２１から突出する作動部材４により三点で支持されるものであるので、装置全体の高さを低く抑えることができることと相俟って非常に安定性がよく、人が乗る際も回転板１は水平状態を保って昇降するためバランスを崩す等の危険性がない。
【００１５】
請求項５に係る考案の履物反転装置は、回転板１上に脱がれた履物を正確に１８０度反転させることができる。
【考案を実施するための最良の形態】
【００１６】
本考案の実施の形態を図面に基づいて説明する。
【００１７】
図１は、本考案の実施の形態における履物反転装置の平面図を示す。
本考案の実施の形態における履物反転装置は、基台３に形成された支持部３１に中間板２が載置固定され、該中間板２の上方に回転板１が回転可能な状態で配置されており、この回転板１の上で人が履物を脱いだり履いたりするものとなっている。ここで、回転板１には、後述する基台３に対し配置される磁石９３に磁着される鉄板１３が、回転中心に対し１８０度対称な位置に二つ取り付けられている。
【００１８】
図２は、図１に示す履物反転装置において回転板１を取り外した状態の平面図を示す。また、図３は、図２のＢ−Ｂ断面図であって、説明の都合上、回転板１を取り付けた状態を示している。
中間板２には、開口２１，２２，２３が設けられている。開口２１は、後述する回転板１を支持する作動部材４が上方に突出可能とするためのものであり、回転板１上に人が乗ったときに最も体重がかかる位置、即ち両足の踵に対応する位置に設けられるものである。また、開口２２は、後述する回転部材３３と回転板１の下面に垂下する筒部材１１とを連結可能とするためのものであり、開口２３は、前記回転板１に取り付けられた鉄板１３に磁着する磁石９３が上方に突出可能とするためのものである。
また、中間板２の上面には、アーチ状の板バネ２４が二つ設けられており、回転板１は、前記作動部材４とこれら二つの板バネ２４の三点で、水平で安定した状態に支持されるものとなっている。
【００１９】
図４は、図２において中間板２を取り外した状態の平面図を示す。また、図５は、図１のＡ−Ａ断面図であって、説明の都合上、後述する回転機構５を一部省略したものを示している。なお、図面上、図１、図２及び図４の位置関係は同じものであり、図５はすべての図面に共通した位置の断面を示すものとする。
基台３上には、後述する回転機構５を作動させる作動部材４、回転板１を回転させる回転機構５、回転機構５により回転する回転板１の回転速度を調整する負荷機構７、回転板１を適切な回転位置に固定するロック機構９が配置されている。
【００２０】
作動部材４は、基台３上に固定される板部材４１と、該板部材４１に固定され前記中間板２の開口２１から上方へ突出する支持部材４２とから構成されており、該支持部材４２で回転板１を支持するものとなっている。なお、図面上、支持部材４２は、板部材４１の幅全体にわたる長さの部材と一体となっており、その両側、即ち両足の踵に対応する位置に設けられているが、その構成は適宜変更可能である。
作動部材４は、後述する長尺の薄板状部材５２の上に回転板１を支持する状態で配置されるものであり、該作動部材４の下降により長尺の薄板状部材５２が、該薄板状部材が張設される複数のローラ５１間に引き込まれることで後述するレバー部材５４を回動させ、回転機構５、負荷機構７、ロック機構９を作動させるものである。
【００２１】
回転機構５は、図中右端が基台３に固定され、該基台３に対し回転可能に取り付けられる複数のローラ５１上に張設される長尺の薄板状部材５２と、基台３に対しピン５５により回動可能に設けられ前記薄板状部材５２の左端が枢着されるレバー部材５４と、該レバー部材５４の、前記ピン５５に対し薄板状部材５２が枢着される側の先端に、揺動可能に設けられラック歯５８が形成された第１アーム５７と、基台３に対しピン６１により回動可能に設けられ、基台３に固定されるガイド６７に沿った前記第１アーム５７の前進により一端が後述する第３アーム６２の段部６４に係止される第２アーム６０と、基台３に対しピン６３により回動可能に設けられ前記第２アーム６０の端部を係止する段部６４を有する第３アーム６２と、前記第１アーム５７に形成されたラック歯５８と噛合い可能に配置されたピニオン３７と、基台３に立設される固定軸３１周りに回転可能に配置され、前記ピニオン３７と同軸に配置された回転部材３８からベルト３９を介して回転が伝達される回転部材３３とから構成されている。
【００２２】
回転部材３３の内周面には上端が開放されない長手溝３４が複数形成されており、該長手溝３４に対し回転板１に垂設される筒部材１１の下端外周に形成される突部１２が係合されるものとなっている。そして、回転部材３３の長手溝３４と回転板１の筒部材１１突部１２を組み合わせることによって、回転板１は回転部材３３と一体回転するとともに該回転部材３３に対して昇降可能とされるとともに、両者間に配設されるコイルバネ３５によって上方に付勢された状態とされている。
【００２３】
負荷機構７は、前記レバー部材５４の、前記ピン５５に対し薄板状部材５２が枢着される側に枢着され、基台３に設けられたガイド８３に沿ってスライドするとともにラック歯７２が形成され、前記第３アーム部材６２の前記段部６４とピン６３を挟んだ反対側の端部に係合可能な段部７３を有する第１スライド部材７１と、基台３に対しピン７５により回動可能に設けられ前記第２アーム６０の回動に連動して回動する第４アーム７４と、第４アーム７４に形成された凹部７６に係合し該第４アーム７４の回動に連動して基台３に設けられたガイド８４に沿ってスライドする第２スライド部材７９と、第２スライド部材７９の先端に回転可能に取り付けられ前記第１スライド部材７１のラック歯７２と噛合い可能とされるピニオン８１とから構成されている。
【００２４】
ロック機構９は、基台３に対しバネ９２を介して固定され、前記レバー部材５４によって進出を制限されつつ該レバー部材５４の回動に連動してガイド９６に案内され進退するロック部材９１と、基台３に対しバネ９５を介して固定されるとともに前記中間板２の開口２３から前記回転板１に対して突出可能とされ、前記ロック部材９１を嵌挿することで前記バネ９５による中間板２上方への移動が拘束される溝９４が形成された磁石９３とから構成されている。
【００２５】
上記回転機構５を構成するレバー部材５４は、ピン５５に対し前記薄板状部材５２が枢着される側と反対側において基台３とバネ５６で連結されている。また、第２アーム６０の、前記ピン６１に対し第３アーム６２の段部６４に係止される端部側と第３アーム６２の前記ピン６３に対する段部６４側はバネ６５で連結されている。さらに、負荷機構７を構成する第４アーム７４は、ピン７５に対し第２アーム６０側において基台３とバネ７７で連結されている。そして、レバー部材５４、第１アーム５７、第２アーム６０、第３アーム６２、第４アーム７４は、各バネ５６，６５，７７の作用により図４に示す関係に維持・復帰できるようになっている。
【００２６】
図４に示される磁石６７は、基台３に固定されるものであり、回転体１及び作動部材４の上昇時におけるレバー部材５４の復帰動作を補助するためのものである。
また、図５に示すように、回転板１の下面外周側には、回転板１と中間板２の間へのゴミ等の侵入を防ぐため、ゴム製のパッキン１４が取り付けられている。
【００２７】
次に、本考案の実施の形態における履物反転装置の作用について説明する。
図６乃至８は、本考案の実施の形態における履物反転装置の基台３上に配置された各部材の作動の様子を示すものであり、図６は、回転板１上に人が乗っていない状態、図７は、回転板１に履物を履いた人が乗って最も体重がかかっている状態、即ち、回転板１が最も下降した状態、図８は、回転板１上に履物を脱いで該回転板１から人が降りた状態、即ち、履物が載った回転板１が回転している途中の状態、をそれぞれ示すものである。
【００２８】
図１に示すように、回転板１に取り付けられた二つの鉄板１３が、人の進行方向に直列に並ぶように設置された履物反転装置の前記回転板１上に履物を履いた人が乗ると、回転体１が該回転体１を支持する作動部材４とともに下降する。そして、該作動部材４の下降により長尺の薄板状部材５２が複数のローラ５１間に引き込まれることでレバー部材５４がピン５５を中心に回動し、これに連動して図６に示される回転機構５、負荷機構７、ロック機構９が作動する。
図７に示すとおり、回転板１が最も下降した状態では、ラック歯５８がピニオン３７に噛合わない状態で前進しガイド６７に沿って揺動した第１アーム５７が第２アーム６０を図面上側に押し上げて、該第２アーム６０の一端が第３アーム６２の段部６４に係止された状態となっている。また、第２アーム６０が図面上側に押し上げられるのに伴って、負荷機構７を構成する第４アーム７４の一端も押し上げられ、該第４アーム７４と連動する第２スライド部材７９が前進し、該第２スライド部材７９の先端に取り付けられたピニオン８１が第１スライド部材７１のラック歯７２に噛合う状態となっている。
一方、レバー部材５４により進出が制限されたロック部材９１はバネ９２の作用により進出し、回転板１に取り付けられた鉄板１３に磁着した状態で下降してきた磁石９３の溝９４に嵌挿され、当該磁石９３を中間板２の下方において拘束する。
【００２９】
図１に示す状態に履物を残して回転板１から人が降りると該回転体１は上昇し、レバー部材５４がバネ５６の作用により回動復帰する。その時、図８に示すように、第１アーム５７はそのラック歯５８が所定のタイミングでピニオン３７に噛合うように後退し、該ピニオン３７の回転がベルト３９を介して回転部材３３に伝達され該回転部材３３と一体回転可能とされた回転板１を回転させる。この時、負荷機構７を構成する第１スライド部材７１のラック歯７２と第２スライド部材７９のピニオン８１の噛合いによりレバー部材５４の回動復帰には負荷がかけられているため、第１アーム５７の後退速度は前進時の速度に比べ遅くなり、回転体１の回転速度をゆっくりしたものにすることができる。
また、回転体１の上昇に伴いレバー部材５４に押される形でロック部材９１が退避させられ、所定のタイミングで磁石９３の拘束が解除される。そして、前記拘束が解除された磁石９３は、コイルバネ９５の作用により上方へ付勢され、回転体１が１８０度回転した位置で該回転体１に取り付けられた鉄板１３に磁着する。
なお、前記第１アーム５７のラック歯５８がピニオン３７と噛合うタイミングは、人が回転板１から降りる状態を考慮して設定する。また、第２スライド部材７９のピニオン８１を第１スライド部材７１のラック歯７２に押圧する力、すなわち負荷の大きさは、回転体１の回転速度を考慮して設定する。
【００３０】
図９は、作動部材４の他の実施の形態を示すものであり、図１０は、図９のＣ−Ｃ断面を示すものである。
本実施の形態における作動部材４は、中間板２の開口２１から上方へ突出し回転板１を支持する支持部材４４と、該支持部材４４に回転可能に取り付けられるローラ４５と、から構成される。
そして、本実施の形態における作動部材４は、基台３に対し回転可能に取り付けられる複数のローラ５１上に張設される長尺の薄板状部材５２の上に乗せられた上体で配置されるものである。
【００３１】
なお、基台３の下面に滑り止めのための処置を施しておけば、人が乗った場合に履物反転装置が移動することがなく安全性が向上する。
【００３２】
また、回転板１に履物に倣った形で磁石を埋め込んでおき、底部に磁性体が埋め込まれた履物を回転板１上で脱げば、回転板１は当該履物を１８０度回転させるだけでなく、きれいに揃えることもできる。
【００３３】
上記実施の形態で説明した回転機構５、負荷機構７、ロック機構９は、本考案の要旨を変更しない範囲で適宜変更可能である。また、各構成部材の材料は、強度やコスト等を考慮して適宜選択されるものである。
【産業上の利用可能性】
【００３４】
本考案の履物反転装置は、一般家庭、ホテル、病院等の玄関やトイレ、ベッドの横、洗濯物干場等の床上に置いて用いることができる。また、本考案の履物反転装置は薄型のため、床等に埋め込んで用いる際も施工が簡単であり実用性の非常に高いものである。
【図面の簡単な説明】
【００３５】
【図１】本考案の履物反転装置の平面図。
【図２】本考案の履物反転装置の回転板１を取り外した状態の平面図。
【図３】図２のＢ−Ｂ断面図。
【図４】本考案の履物反転装置の回転板１及び中間板２を取り外した状態の平面図。
【図５】図１のＡ−Ａ断面図。
【図６】本考案の履物反転装置の作動状態を示す説明図。
【図７】本考案の履物反転装置の作動状態を示す説明図。
【図８】本考案の履物反転装置の作動状態を示す説明図。
【図９】本考案の履物反転装置における作動部材４の他の実施形態を示す断面図。
【図１０】図９のＣ−Ｃ断面図。
【符号の説明】
【００３６】
１・・・回転板
２・・・中間板
３・・・基台
４・・・作動部材
５・・・回転機構
７・・・負荷機構
９・・・ロック機構
１１・・・筒部材
１２・・・突部
１３・・・鉄板（磁性体）
１４・・・パッキン
２４・・・板バネ
３３・・・回転部材
３４・・・長手溝
３５・・・コイルバネ
３７・・・ピニオン
３９・・・ベルト
５１・・・ローラ
５２・・・薄板状部材
５４・・・レバー部材
５７・・・第１アーム
５８・・・ラック歯
６０・・・第２アーム
６２・・・第３アーム
６７・・・磁石
７１・・・第１スライド部材
７２・・・ラック歯
７４・・・第４アーム
７９・・・第２スライド部材
８１・・・ピニオン
９１・・・ロック部材
９３・・・磁石
９４・・・溝
９５・・・コイルバネ
【図１】
0003145954.tif 000003
【図２】
0003145954.tif 000004
【図３】
0003145954.tif 000005
【図４】
0003145954.tif 000006
【図５】
0003145954.tif 000007
【図６】
0003145954.tif 000008
【図７】
0003145954.tif 000009
【図８】
0003145954.tif 000010
【図９】
0003145954.tif 000011
【図１０】
0003145954.tif 000012